(57)【要約】      （修正有）【課題】それ自体がオブジェとなって人目を惹き付けることができ、しかもマスコット等の付属品を際立たせて展示したりできるアート家具の提供。【解決手段】略Ｃ字形又は略Ｓ字形の骨材１ａ，１ｂが台２上に起立して設けてあり、骨材の適当な位置に付属品３ａを取り付けている。【選択図】図１
0003131237.tif 000002
【実用新案登録請求の範囲】
【請求項１】
略Ｃ字形又は略Ｓ字形の骨材（１ａ，１ｂ）が台（２）上に起立して設けてあり、骨材の適当な位置に付属品（３ａ，３ｂ，６，１２）を取付けていることを特徴とするアート家具。
【請求項２】
骨材（１ａ，１ｂ）は、付属品取付自在部（４，１１）を有し、付属品取付自在部（４）に付属品（３ａ，３ｂ，６）を着脱自在に取付けていることを特徴とする請求項１記載のアート家具。
【請求項３】
付属品取付自在部が、骨材（１ａ，１ｂ）の表面に開けた孔(１１)、又は骨材（１ａ，１ｂ）の表面から突き出た棒（４）であることを特徴とする請求項２記載のアート家具。
【請求項４】
付属品取付自在部(４，１１)が、骨材（１ａ，１ｂ）の上向き面に複数離間して設けてあることを特徴とする請求項２又は３記載のアート家具。
【請求項５】
骨材（１ａ，１ｂ）に取付く付属品が、人間、自然物、人工物、空想物等を象った任意の形態のマスコット（３ａ，３ｂ）であることを特徴とする請求項１，２，３又は４記載のアート家具。
【請求項６】
骨材（１ａ，１ｂ）に取付く付属品が、物を置くための台（６）、又は物を引っ掛けるためのフック(１２)であることを特徴とする請求項１，２，３又は４記載のアート家具。
【請求項７】
骨材（１ａ，１ｂ）は、内部が中空状に形成され、表面に種々の模様を象った穴（７）が開けてあることを特徴とする請求項１，２，３，４，５又は６記載のアート家具。
【請求項８】
骨材（１ａ，１ｂ）の内部に電球（８）を設置したことを特徴とする請求項７記載のアート家具。
【請求項９】
骨材（１ａ，１ｂ）は、金属の鋳物で中空状に形成したものであり、骨材を長手方向に沿って半分の厚みに分割する分割面（９ａ）と、骨材を長手方向に分割する分割面（９ｂ，９ｃ）とで分割した複数のパーツ(１０ａ，１０ｂ，１０ｃ，１０ｄ，１０ｅ，１０ｆ)を形成し、これらのパーツを溶接して骨材を形成したことを特徴とする請求項１，２，３，４，５，６，７又は８記載のアート家具。
【考案の詳細な説明】
【技術分野】
【０００１】
本考案は、それ自体がオブジェとなって人目を惹き付けることができるとともに、様々な物を載せたり引っ掛けたりして支持させることもできるアート家具に関する。
【背景技術】
【０００２】
従来、物を載せる棚やラックには、４本の垂直な柱に棚板を支持したものや、複数の板を接合して箱形に形成したものがあったが、それらは垂直や水平方向にのびる部材のみで構成してあるために、それ自体が観賞の対象ではなかった。また、そうした従来の一般的な棚の棚板にマスコットやフィギュア等を置いても、特別面白味が湧かなかった。
【考案の開示】
【考案が解決しようとする課題】
【０００３】
本考案は以上に述べた実情に鑑み、それ自体がオブジェとなって人目を惹き付けることができ、しかもマスコット等の付属品を際立たせて展示したりできるアート家具の提供を目的とする。
【課題を解決するための手段】
【０００４】
上記の課題を達成するために請求項１記載の考案によるアート家具は、略Ｃ字形又は略Ｓ字形の骨材が台上に起立して設けてあり、骨材の適当な位置に付属品を取付けていることを特徴とする。骨材は、略Ｃ字形又は略Ｓ字形のものを複数組合わせて用いることが好ましい。
【０００５】
請求項２記載の考案によるアート家具は、請求項１記載の考案の構成に加え、骨材は、付属品取付自在部を有し、付属品取付自在部に付属品を着脱自在に取付けていることを特徴とする。
【０００６】
請求項３記載の考案によるアート家具は、請求項２記載の考案の構成に加え、付属品取付自在部が、骨材の表面に開けた孔、又は骨材の表面から突き出た棒であることを特徴とする。
【０００７】
請求項４記載の考案によるアート家具は、請求項２又は３記載の考案の構成に加え、付属品取付自在部が、骨材の上向き面に複数離間して設けてあることを特徴とする。
【０００８】
請求項５記載の考案によるアート家具は、請求項１〜４記載の考案の構成に加え、骨材に取付く付属品が、人間、自然物、人工物、空想物等を象った任意の形態のマスコットであることを特徴とする。
【０００９】
請求項６記載の考案によるアート家具は、請求項１〜４記載の考案の構成に加え、骨材に取付く付属品が、物を置くための台、又は物を引っ掛けるためのフックであることを特徴とする。
【００１０】
請求項７記載の考案によるアート家具は、請求項１〜６記載の考案の構成に加え、骨材は、内部が中空状に形成され、表面に種々の模様を象った穴が開けてあることを特徴とする。
【００１１】
請求項８記載の考案によるアート家具は、請求項７記載の考案の構成に加え、骨材の内部に電球を設置したことを特徴とする。
【００１２】
請求項９記載の考案によるアート家具は、請求項１〜８記載の考案の構成に加え、骨材は、金属の鋳物で中空状に形成したものであり、骨材を長手方向に沿って半分の厚みに分割する分割面と、骨材を長手方向に分割する分割面とで分割した複数のパーツを形成し、これらのパーツを溶接して骨材を形成したことを特徴とする。
【考案の効果】
【００１３】
請求項１記載の考案によるアート家具は、略Ｃ字形又は略Ｓ字形の骨材が台上に起立して設けてあり、骨材の適当な位置に付属品を取付けているので、略Ｃ字形や略Ｓ字形の骨材自体がアートとして見る人に様々な印象を起こさせ、その骨材に取付けた付属品は骨材と一体的となって際立たせて展示できる。
【００１４】
請求項２記載の考案によるアート家具は、骨材に付属品取付自在部を設け、その付属品取付自在部に付属品を着脱自在に取付けるようにしたので、付属品を交換することで変化を持たせることができ、長く飾っていても飽きない。
【００１５】
請求項３記載の考案によるアート家具は、付属品取付自在部を骨材の表面に開けた孔、又は骨材の表面から突き出た棒としたことで、付属品の着脱が誰にでも容易に行える。
【００１６】
請求項４記載の考案によるアート家具は、付属品取付自在部が骨材の上向き面に複数離間して設けてあるので、各付属品取付自在部に異なった付属品を取付けたり、一つの付属品を取付ける場合にその取付ける位置を変えたりして、変化を持たせることができる。また、付属品取付自在部が骨材の上向き面に設けてあることで、付属品を簡易に安定して取付けることができる。骨材が略Ｃ字形や略Ｓ字形をしていることで、骨材をどんな姿勢で配置しても必ず２つ以上の上向き面が離間して得られ、その離間した上向き面に付属品取付自在部をぞれぞれ設けることができる。
【００１７】
請求項５記載の考案によるアート家具は、付属品が、人間、自然物、人工物、空想物等を象った任意の形態のマスコットであり、マスコットを変えるだけで印象が大きく異なったものとなり、所有者の趣味・趣向にあったアート家具を提供できる。飾っている間もマスコットを自由に交換することで、その都度新しい印象を持たせることができる。
【００１８】
請求項６記載の考案によるアート家具は、付属品が物を置くための台、又は物を引っ掛けるためのフックであるため、立体アートに台やフックを融合させ、これまでにない斬新な棚やハンガーとすることができる。
【００１９】
請求項７記載の考案によるアート家具は、骨材を中空状とし、その表面に種々の模様を象った穴を開けたことにより、芸術性がより一層高められ、より一層人の目を惹きつけることができるとともに、軽量化できる利点がある。
【００２０】
さらに請求項８記載の考案によるアート家具は、骨材の内部に電球を配置したので、骨材表面に開けた穴から電球の光がもれて幻想的な雰囲気を醸し出し、より一層魅力的に見せることができるばかりか、立体アートに部屋の間接照明としての機能を持たせることもできる。
【００２１】
請求項９記載の考案によるアート家具は、骨材を金属の鋳物で中空状に形成したことにより、重厚で高級感のあるものとすることができ、しかも骨材は、骨材を長手方向に沿って半分の厚みに分割する分割面と、骨材を長手方向に分割する分割面で分割した複数のパーツから形成したので、パーツの向きを変えて接合することにより同一のパーツを用いて略Ｃ字形の骨材と略Ｓ字形の骨材のどちらでも簡単に製作できる。
【考案を実施するための最良の形態】
【００２２】
以下、本考案の実施の形態を図面に基づいて説明する。図１は、本考案に係るアート家具の一実施形態を示している。このアート家具は、マスコット等を展示する棚としての機能や、時計やアクセサリー等の小物を掛けておくハンガーとしての機能を有するものであり、しかも全体が一つのオブジェになっている。本アート家具の材質は金属製で、高さが１メートル前後となっている。本アート家具は、略Ｃ字形の骨材１ａと、略Ｓ字形の骨材１ｂとを溶接により接合し、略Ｓ字形の骨材１ｂの下端部に台２を溶接してある。
【００２３】
略Ｓ字形の骨材１ｂの上端部には、裸婦を象ったマスコット３ａが取付けてある。このマスコット３ａは、金属の鋳物で形成してある。図２は、このマスコット３ａの取付構造を示しており、略Ｓ字形の骨材１ｂの上端部の上向き面に円形断面の棒４が溶接により垂直に取り付けてあり、マスコット３ａの底面には前記棒４を差し込み可能な穴５が垂直に開けてある。マスコット３ａは、底面の穴５に骨材１ｂから突き出た棒４を差し込むようにして上方から取り付けられる。マスコット３ａは、こうして簡単に着脱でき、垂直軸回りに回転して向きを変えることもできる。
略Ｃ字形の骨材１ａの下端部の上向き面にも同じように棒４が取付けてあり、マスコット３ａの取付け位置をこちらに変更したり、裸婦を象ったマスコット３ａの他に別のマスコットを取付けたりすることができる。
図２の例では、骨材１ａ，１ｂに棒４を突設し、マスコット３ａの底面に穴５を開けているが、これとは逆にマスコット３ａの底面に棒４を下向きに突設し、骨材１ａ，１ｂの上向き面にこの垂直軸４を差し込む穴５を開けることもできる。また、図３に示すように、骨材１ａ，１ｂ側に孔１１を開け、マスコット３ａ側にも穴５を開けておき、上下に棒が突き出た形のジョイント金具１３を介して、マスコット３ａを骨材１ａ，１ｂに取付けることもできる。
【００２４】
骨材１ａには、丸い孔１１が複数開けてあり、この孔１１を利用して別のマスコットを着脱自在に取付けることができる。その際、マスコットには丸棒を突設しておき、その丸棒を骨材１ａの孔１１に差し込むことによりマスコットを骨材１ａに簡易に取付できる。
さらに骨材１ａ，１ｂには、丸棒状のフック１２が骨材１ａ，１ｂの表面から突き出すように複数離間して設けてある。このフック１２には、時計やアクセサリー、ネクタイ、標識等を自由に掛けることができる。このフック１２を利用してマスコットを取付けることもできる。骨材１ａにネクタイやバック等を直接掛けることもできる。
【００２５】
各骨材１ａ，１ｂは、金属の鋳物で中空状に形成してあり、表面には花等を象った多数の穴７が形成してある。このように骨材１ａ，１ｂの表面に多数の穴７を開けることで、芸術性を一層高めるとともに、軽量化できる利点がある。
骨材１ａ，１ｂの内部には電球８が設置してあって、骨材の穴７から電球８の光が漏れるようになっている。図中の符号１４は、電球８に電流を流すための電気コードである。部屋を暗くした状態で電球８を灯せば、骨材の穴７から漏れる光でマスコット３ａが照らされるとともに、穴７の形と骨材１ａ，１ｂとマスコット３ａの影が近くの壁や天井に投影されて、幻想的な雰囲気を演出できる。このように本アート家具は、夜は部屋の間接照明にもなる。
【００２６】
略Ｃ字形の骨材１ａは、図４（ａ）に示すように、骨材１ａを長手方向に沿って半分の厚みに分割する分割面９ａと、骨材１ａを長手方向に分割する分割面９ｂとで分割した４つのパーツ１０ａ，１０ｂ，１０ｃ，１０ｄを鋳造により形成し、これらのパーツを溶接することにより製作している。なお、図では省略してあるが、各パーツ１０ａ，１０ｂ，１０ｃ，１０ｄを鋳造する時点で各パーツの表面に穴７を形成しておく。
略Ｓ字形の骨材１ｂは、図４（ｂ）に示すように、上述の４つのパーツの内の先端部側の左右のパーツ１０ｃ，１０ｄを中間部で分割面９ｃでさらに分割し、長手方向の分割面９ｂ，９ｃで曲がり方が逆になるようにして各パーツを接合することで製作している。この方式によれば、同一のパーツから略Ｃ字形の骨材１ａと略Ｓ字形の骨材１ｂのどちらでも簡単に製作できる。
【００２７】
図５は、本考案に係るアート家具の別の実施形態を示している。ベースになる骨材１ａ，１ｂや台２は図１のものと同一であり、略Ｓ字形の骨材１ｂの上端部の棒４には仏像を象ったマスコット３ｂを取付けている。このように、本アート家具は、マスコットを取り替えるだけで全く異なった印象のものとなり、所有者となる人に好きなマスコットを選んでもらうことで、所有者の趣味・趣向に合ったものとなる。また、予め複数のマスコット、例えば十二支の干支を象ったマスコットを用意しておき、年が変わるごとにその年の干支のマスコットに交換することによって、長い間展示しても飽きることがない。
【００２８】
さらにこのアート家具は、略Ｃ字形の骨材１ａの下端部に取付けた棒４に、丸い皿状の台６を取付けてあり、この台６にお供え物等を置くことができる。台６の代わりに、物を引っ掛けるためのフックを取付けることもできる。なお骨材１ａ，１ｂには、丸棒状のフック１２が複数設けてあり、このフック１２に時計やアクセサリー等を自由に掛けることができる。
【００２９】
マスコット等を取付けるための棒４や孔１１は、１本の骨材１ａ，１ｂの互いに離間した位置に複数設けることができる。図６（ａ），（ｂ）に示すように、骨材１ａ，１ｂが略Ｃ字形や略Ｓ字形に形成してあることで、骨材１ａ，１ｂをどんな向きで配置しても複数の上向き面が得られ、その上向き面にそれぞれ棒４や孔１１を設けることができる。
【００３０】
本アート家具は、略Ｃ字形や略Ｓ字形の骨材を自由に組合わせて構成することができる。図７は、１本の略Ｃ字形の骨材１ａと、２本の略Ｓ字形の骨材１ｂ，１ｃとを組合わせて構成した例を示している。
【００３１】
本考案は、以上に述べた実施形態に限定されない。付属品をマスコットとする場合、マスコットの形は、例えば動物や昆虫等の生き物、植物、雲、建物、漫画のキャラクター等、どんな形態にでもすることができる。また付属品により実用的な用途を持たせる場合の付属品は、工夫次第で何にでもすることができ、例えば付属品としてライト等を取付けることもできる。マスコット、物を載せる台、物を引っ掛けるフック等の付属品は、骨材に溶接等により固着して取付けてもよい。骨材をどのようにして作るかは任意であり、必ずしも長手方向に沿って半分の厚みに分割したものを溶接して作る必要はなく、中空状の形のままで鋳造することもできる。
【図面の簡単な説明】
【００３２】
【図１】本考案に係るアート家具の一実施形態を示す斜視図である。
【図２】付属品取付部分を拡大して示す分解斜視図である。
【図３】付属品取付部分の他の実施例を示す分解斜視図である。
【図４】（ａ）は略Ｃ字形の骨材を製作するときのパーツに分離した状態を示す斜視図であり、（ｂ）は略Ｓ字形の骨材を製作するときのパーツに分離した状態を示す斜視図である。
【図５】本考案に係るアート家具の他の実施形態を示す斜視図である。
【図６】（ａ）は略Ｃ字形の骨材を様々な向きで配置し、それぞれの場合に付属品取付自在部を複数離間して設けた例を示す正面図であり、（ｂ）は略Ｓ字形の骨材を様々な向きで配置し、それぞれの場合に付属品取付自在部を複数離間して設けた例を示す正面図である。
【図７】骨材の組み合わせの他の例を示す斜視図である。
【符号の説明】
【００３３】
１ａ，１ｂ，１ｃ  骨材
２  台
３ａ，３ｂ  マスコット（付属品）
４  棒（付属品取付自在部）
５  穴
６  台（付属品）
７  骨材表面の穴
８  電球
９ａ，９ｂ，９ｃ  分割面
１０ａ，１０ｂ，１０ｃ，１０ｄ，１０ｅ，１０ｆ  パーツ
１１  孔（付属品取付自在部）
１２  フック（付属品）
【図１】
0003131237.tif 000003
【図２】
0003131237.tif 000004
【図３】
0003131237.tif 000005
【図４】
0003131237.tif 000006
【図５】
0003131237.tif 000007
【図６】
0003131237.tif 000008
【図７】
0003131237.tif 000009